(57)【要約】【課題】  器官の全厚を切除するための新規な装置を提供する。【解決手段】  可撓内視鏡およびステープル綴じ機構を備えると共に、内視鏡はステープル綴じ機構の少なくとも一部を貫通して摺動的に受容される全厚切除システムが提供される。上記ステープル綴じ機構は、アンビル１０と、同アンビルに取付けられると共に組織受容位置とステープル綴じ位置との間で間隙を形成するように同アンビルに関して移動可能とされるステープル綴じヘッド１７ｃと、を備えて成る。上記組織受容位置とステープル綴じ位置との間で上記アンビルおよびステープル綴じヘッドを移動すべく位置調節機構が配備されると共に、ステープル撃発機構は、上記ステープル綴じヘッドから上記間隙を通り上記アンビルに対し且つ上記間隙内に受容された任意の組織を貫通して複数のステープルを順次に撃発し、且つ、ブレードは上記間隙内に受容された組織の一部を切断する。【選択図】      図２２
2005319331.tif 000002
【特許請求の範囲】
【請求項１】
身体器官の全厚部分を除去する全厚切除システムであって、
可撓内視鏡と、
作用位置においては患者の身体内に配置されるステープル綴じ機構であって、上記内視鏡は当該ステープル綴じ機構の少なくとも一部を貫通して摺動的に受容されるというステープル綴じ機構であって、
アンビルと、
全てがほぼ直線状に配置された複数のステープル・スリットを有するステープル綴じヘッドであって、該ステープル綴じヘッドは組織受容位置とステープル綴じ位置との間で上記アンビルおよび当該ステープル綴じヘッドが相互に関して回転し得る如く上記アンビルに回転可能に連結され、該ステープル綴じヘッドと上記アンビルとの間に形成される間隙は上記ステープル綴じ位置におけるよりも上記組織受容位置における方が大きい、ステープル綴じヘッドと、
上記組織受容位置およびステープル綴じ位置の間において上記アンビルおよびステープル綴じヘッドの少なくとも一方を該アンビルおよびステープル綴じヘッドの他方に対して回転せしめる位置調節機構と、
上記ステープル綴じヘッドおよび上記アンビルが上記ステープル綴じ位置に在るときに、上記ステープル綴じヘッド内に受容された各ステープルを、上記ステープル綴じヘッドから上記間隙を通り上記アンビルに対して且つ上記間隙内に受容された任意の組織を貫通して、順次に撃発するステープル撃発機構と、
上記間隙内に受容された組織の一部を切断するブレードと、
を備えたステープル綴じ機構と、
上記ステープル綴じヘッドが上記作用位置に在るときに身体の外部に留まる制御ユニットであって、上記位置調節機構および上記ステープル撃発機構の作用を制御すべく上記ステープル綴じ機構に連結された制御ユニットと、
を備えて成る、全厚切除システム。
【請求項２】
前記制御ユニットは、長手方向に可撓な少なくとも一個の駆動シャフトにより前記ステープル綴じ機構に連結された回転可能制御部材を含む、請求項１記載の全厚切除システム。
【請求項３】
前記ステープル撃発機構は、各々が複数のステープル・スリットの夫々に摺動的に受容された複数のステープル撃発部材を含む、請求項１記載の全厚切除システム。
【請求項４】
第1の切断配置構成において前記ブレードは前記駆動シャフトに連結されて、上記駆動シャフトが回転すると該ブレードは初期位置から、前記間隙内に受容された前記組織の一部を切断する最終位置へと移動されるようにされ、且つ、
第2の非切断配置構成において上記ブレードは上記駆動シャフトから結合解除されて、上記駆動シャフトを回転しても上記ブレードは上記初期位置と最終位置との間で移動されないようにされる、
請求項２記載の全厚切除システム。
【請求項５】
前記ステープル綴じ機構は、把持デバイスを受容すべく該ステープル綴じ機構を貫通延伸する少なくとも一個の内孔を含む、請求項１記載の全厚切除システム。
【請求項６】
前記ブレードからの組織の離間移動に対して抵抗を与える可撓ブレード・シールドを更に備える、請求項１記載の全厚切除システム。
【請求項７】
前記初期位置から前記最終位置へと移動されたときに前記ブレードは前記可撓ブレード・シールドを切断する、請求項６記載の全厚切除システム。
【請求項８】
前記可撓ブレード・シールドは第1部分および第2部分を含み、且つ、
前記初期位置から前記最終位置へと移動されるときに前記ブレードは上記第1部分および上記第2部分の間を通過する、請求項６記載の全厚切除システム。
【請求項９】
前記複数のステープル・スリットは少なくとも２本の平行な列で形成され、
前記アンビルは、該アンビルおよび前記ステープル綴じヘッドが前記ステープル綴じ位置に在るときに各ステープル・スリットが当該ステープル成形溝の夫々一つと概ね整列される如く位置決めされた複数のステープル成形溝を含む、請求項１記載の全厚切除システム。
【請求項１０】
前記制御ユニットは、前記駆動シャフトの基端に連結された回転可能制御部材を更に含む、請求項９記載の全厚切除システム。
【請求項１１】
前記ブレードは、作動の第1モードにおいては該ブレードの作動が前記各ステープルの撃発から独立する如く前記駆動シャフトに選択的に連結可能である、請求項１０記載の全厚切除システム。
【請求項１２】
前記ステープル綴じヘッドは該ステープル綴じヘッドを貫通延伸するブレード・スリットを含み、且つ、
該ブレード・スリットおよび前記各ステープル・スリットは前記内視鏡の長手軸心に対してほぼ平行に延在する、請求項１記載の全厚切除システム。
【請求項１３】
前記アンビルはヒンジ・ピンを介して前記ステープル綴じヘッドに連結され、且つ、
上記アンビルおよび上記ステープル綴じヘッドは上記ヒンジ・ピンの回りで回転することにより前記組織受容位置と前記ステープル綴じ位置との間で移動される、請求項１記載の全厚切除システム。
【請求項１４】
身体器官の全厚部分を除去する全厚切除システムであって、
可撓内視鏡と、
作用位置においては患者の身体内に配置されるステープル綴じ機構であって、上記内視鏡は当該ステープル綴じ機構の少なくとも一部を貫通して摺動的に受容されるというステープル綴じ機構であって、
アンビルと、
組織受容位置とステープル綴じ位置との間において上記ステープル綴じ機構の長手軸心にほぼ平行な軸心に沿って上記アンビルおよび当該ステープル綴じヘッドが相互に関して移動可能となる如く上記アンビルに連結されたステープル綴じヘッドであって、該ステープル綴じヘッドと上記アンビルとの間に形成される間隙は上記ステープル綴じ位置におけるよりも上記組織受容位置における方が大きい、ステープル綴じヘッドと、
上記組織受容位置およびステープル綴じ位置の間において上記アンビルおよびステープル綴じヘッドの少なくとも一方を該アンビルおよびステープル綴じヘッドの他方に対して移動せしめる位置調節機構と、
上記ステープル綴じヘッドおよび上記アンビルが上記ステープル綴じ位置に在るときに、上記ステープル綴じヘッド内に受容された各ステープルを、上記ステープル綴じヘッドから上記間隙を通り上記アンビルに対して且つ上記間隙内に受容された任意の組織を貫通して、順次に撃発するステープル撃発機構と、
上記間隙内に受容された組織の一部を切断するように上記ステープル撃発機構から独立して作動可能なブレードと、
を備えたステープル綴じ機構と、
上記ステープル綴じヘッドが上記作用位置に在るときに身体の外部に留まる制御ユニットであって、上記位置調節機構および上記ステープル撃発機構の作用を制御すべく上記ステープル綴じ機構に連結され、且つ、上記ブレードに選択的に連結されて上記ステープル綴じ機構から独立して該ブレードを作動せしめる制御ユニットと、
を備えて成る、全厚切除システム。
【請求項１５】
前記制御ユニットは、長手方向に可撓で捩れ的に堅固な少なくとも一個の駆動シャフトにより前記ステープル綴じ機構に連結された回転可能制御部材を含む、請求項１４記載の全厚切除システム。
【請求項１６】
前記ステープル綴じヘッドは基端側ハウジング内に形成され且つ該ステープル綴じヘッドは該ヘッドの末端面に形成された複数のステープル・スリットを含み、
前記アンビルは、該アンビルの基端側面に形成された複数のステープル成形溝を含み、且つ、
前記ステープル綴じ位置に在るときに、上記各ステープル成形溝は前記間隙を介して上記各ステープル・スリットと対向する、
請求項１４記載の全厚切除システム。
【請求項１７】
前記ステープル撃発機構は、各々が前記ステープル・スリットの夫々に摺動的に受容された複数のステープル撃発部材を含む、請求項１６記載の全厚切除システム。
【請求項１８】
前記制御ユニットは長手方向に可撓で捩れ的に堅固な少なくとも一個の駆動シャフトにより前記ステープル綴じ機構に連結される回転可能制御部材を更に含み、
前記各ステープル・スリットおよび前記各ステープル成形溝は第1円の一部の回りに延在し、且つ、
前記ステープル撃発機構は、前記各ステープル撃発部材の各基端の近傍の平面内において前記駆動シャフトと共に回転すべく該駆動シャフトに回転不能に連結された楔部材を含む、
請求項１７記載の全厚切除システム。
【請求項１９】
前記ブレードは、前記第1円の半径よりも小さな半径を有する第2円であって該第1円と同心的な第2円の一部に沿って組織を切断する、請求項１８記載の全厚切除システム。
【請求項２０】
前記楔部材は前記ブレードに堅固に連結される、請求項１９記載の全厚切除システム。
【請求項２１】
前記ブレードは前記駆動シャフトが該ブレードとは独立して回転し得る如く該駆動シャフトに回転可能に連結され、且つ、
前記楔部材は上記ブレードに選択的に連結され、該楔部材に連結されたときに上記ブレードが該楔部材に堅固に連結されて上記駆動シャフトおよび該楔部材と共に回転するようにする、請求項１９記載の全厚切除システム。
【請求項２２】
前記アンビルの末端面は、身体器官内への挿入時に前記ステープル綴じ機構の先端面を形成する該ステープル綴じ機構の最末端を形成し、且つ、
上記アンビルの上記末端面はテーパ付けされる、請求項１４記載の全厚切除システム。
【請求項２３】
前記各ステープル・スリットは前記第1円の一部の回りにおいて360°未満で延在する、請求項１８記載の全厚切除システム。
【請求項２４】
前記各ステープル・スリットは前記第1円の一部の回りにおいて270°未満で延在する、請求項１８記載の全厚切除システム。
【請求項２５】
前記ステープル綴じヘッドは把持デバイスを受容すべく該ヘッドを貫通延伸する少なくとも一個の内孔を含む、請求項１４記載の全厚切除システム。
【請求項２６】
前記基端側ハウジングの少なくとも一部はほぼ透明な堅固材料で構成される、請求項１６記載の全厚切除システム。
【請求項２７】
前記アンビルは前記ステープル綴じヘッドに枢動連結される、請求項１４記載の全厚切除システム。
【請求項２８】
前記間隙内に受容された組織の一部を貫通切断すべく前記ブレードと協働する可撓ブレード・シールドを更に備えて成る、請求項１４記載の全厚切除システム。
【請求項２９】
切断前初期位置と切断後最終位置との間で移動するときに前記ブレードは前記可撓ブレード・シールドを切断する、請求項２８記載の全厚切除システム。
【請求項３０】
前記可撓ブレード・シールドは第1部分および第2部分を含み、且つ、
切断前初期位置と切断後最終位置との間を移動するとき、前記ブレードは上記可撓ブレード・シールドの上記第1および第2部分の間を通過する、請求項２８記載の全厚切除システム。
【請求項３１】
当該ステープル綴じ機構を貫通延伸する内視鏡受容内孔を有すると共に、作用位置においては、患者の身体内に全体が受容されるステープル綴じ機構であって、
アンビルと、
組織受容位置とステープル綴じ位置との間で、当該ステープル綴じ機構の長手軸心にほぼ平行な軸心に沿って上記アンビルおよび当該ステープル綴じヘッドが相互に関して移動可能となる如く上記アンビルに連結されたステープル綴じヘッドであって、該ステープル綴じヘッドと上記アンビルとの間に形成される間隙は上記ステープル綴じ位置におけるよりも上記組織受容位置における方が大きい、ステープル綴じヘッドと、
上記組織受容位置およびステープル綴じ位置の間において上記アンビルおよびステープル綴じヘッドの少なくとも一方を該アンビルおよびステープル綴じヘッドの他方に対して移動せしめる位置調節機構と、
上記ステープル綴じヘッド内に受容された各ステープルを、上記ステープル綴じヘッドから上記間隙を通り上記アンビルに対して且つ上記間隙内に受容された任意の組織を貫通して、順次に撃発するステープル撃発機構と、
上記間隙内に受容された組織の一部を切断するブレードと、
を備えたステープル綴じ機構と、
上記ステープル綴じ機構が上記作用位置に在るときに身体の外側に留まる制御ユニットであって、該制御ユニットは上記位置調節機構および上記ステープル撃発機構の作動を制御すべく少なくとも一個の可撓駆動シャフトを介して上記ステープル綴じ機構に連結され、上記駆動シャフトは上記ブレードに対し、第1モードにおいては該駆動シャフトが回転されても上記ブレードは移動されず且つ第2モードにおいては該駆動シャフトが回転されると上記ブレードは所定経路に沿って移動される如く、選択的に連結可能である、制御ユニットと、
を備えて成る、全厚切除デバイス。
【請求項３２】
当該ステープル綴じ機構を貫通延伸する内視鏡受容内孔を有すると共に、作用位置においては、患者の身体内に全体が受容されるステープル綴じ機構であって、
アンビルと、
組織受容位置とステープル綴じ位置との間で、当該ステープル綴じ機構の長手軸心にほぼ平行な軸心に沿って上記アンビルおよび当該ステープル綴じヘッドが相互に関して移動可能となる如く上記アンビルに連結されたステープル綴じヘッドであって、該ステープル綴じヘッドと上記アンビルとの間に形成される間隙は上記ステープル綴じ位置におけるよりも上記組織受容位置における方が大きい、ステープル綴じヘッドと、
上記組織受容位置およびステープル綴じ位置の間において上記アンビルおよびステープル綴じヘッドの少なくとも一方を該アンビルおよびステープル綴じヘッドの他方に対して移動せしめるギヤドライブと、
カム表面を有する楔部材であって、該楔部材が複数の撃発ピンを通過して移動すると、各撃発ピンの近傍において上記ステープル綴じヘッド内に受容された各ステープルが上記ステープル綴じヘッドから上記間隙を通り上記アンビルに対して且つ上記間隙内に受容された任意の組織を貫通して順次に撃発される、楔部材と、
上記間隙内に受容された組織の一部を切断するブレードと、
を備えたステープル綴じ機構と、
上記ステープル綴じヘッドが上記作用位置に在るときに身体の外側に留まる制御ユニットであって、該制御ユニットは上記位置調節機構、上記ステープル撃発機構および上記ブレードの作動を制御すべく少なくとも一個の可撓駆動シャフトを介して上記ステープル綴じ機構に連結され、切断配置構成において上記ブレードは上記駆動シャフトに回転不能に連結されて上記駆動シャフトが回転すると上記ブレードは上記間隙に亙り移動されるようにされ、且つ、非切断配置構成において上記ブレードは上記駆動シャフトから分離される、制御ユニットと、
を備えて成る、全厚切除デバイス。
【請求項３３】
前記第1円は、前記ステープル綴じ機構の長手軸心に対してほぼ直交する平面内に延在する、請求項１８記載の全厚切除システム。
【請求項３４】
前記ブレードは、前記第1円の半径よりも小さな半径を有する第2円であって該第1円と同心的な第2円の一部に沿って組織を切断する、請求項１８記載の全厚切除システム。
【発明の詳細な説明】
【技術分野】
【０００１】
本発明は、特に結腸などの管状器官における病巣(lesion)の局所的切除を行う全厚切除デバイスに関する。
【背景技術】
【０００２】
切除処置においては、器官の一部が切除されると共に、切除により形成された孔を閉塞するように周囲組織が接合され、過剰な組織は除去される。従来の種々のデバイスおよび処置は、管状器官における病巣を切除すべく利用可能である。
【０００３】
例えば幾つかの公知の切除デバイスおよび処置では、病巣もしくは治療部位に接近すべく、切除されるべき器官の部分の近傍領域において少なくとも一箇所を切開する必要がある(と言うのも、例えば、切除デバイスは操舵(steering)機能および／または視認機能を欠くこともあるからである)。故に、切除されるべき器官部分に医師が接近するのを許容すると共にその部分に対して上記デバイスを案内すべく、切開が必要とされる。あるいは、切除されるべき器官部分に手術用デバイスが届かない場合、または、切除されるべき部位まで上記器官を通して屈曲するに十分なほど手術用デバイスが可撓でない場合は、上記デバイスを上記処置のために位置決めする上で切開が必要とされる。当然、これらの切開には痛みが伴うと共に、管状切除処置自体からの回復に加え、切開部分が回復する間に可動性(mobility)が部分的にもしくは完全に失われることもある。これに加え、斯かる処置から回復する上で必要な期間は、切開を必要としない処置におけるよりも長期となることが多い。
【０００４】
従来における１つの形式の切除処置では円形のステープル綴じ器具(circular stapling instrument)を利用するが、この場合、管状器官の管状部分が切除されることにより管状器官は第1セグメントおよび第2セグメントに分離される。次に上記第1および第2セグメントの各端部は個別に巾着状に結ばれ、接合され、ステープル綴じされ、そして、“巾着状”の各端部が切り離される。この全円的切除処置においては、器官の個々の端部を切断して個別に結着すべく、切除部分の近傍にて少なくとも一箇所の別の侵襲的切開を行わねばならない。また、切除デバイスの第1部分を上記第1セグメント内に載置するとともに上記デバイスの対応第2部分を上記第2セグメント内に載置することにより上記デバイスが上記第1および第2セグメントをいっしょにして各器官部分を相互に再付着させ得るために、別の切開も必要である。これらの各別体部分の第1のものは一般的にステープル撃発機構(staple firing mechanism)を含み得る一方、第2部分は各ステープルを成形するアンビル(anvil)を含んでいる。故にこの形式の切除処置は、侵襲的切開を要する処置に関して上述した欠点を有している。これに加え、器官を２個のセグメントへと分離すると、有菌の腸内物が無菌の体腔内に溢流する虞れがあり、過酷な汚染を引き起こして死に至る可能性がある。
【０００５】
代替的な切除デバイスとしては、所望形状へと屈曲もしくは形状化されてから患者の体腔内に挿入され得るシャフト上のステープル綴じ／切断アセンブリが挙げられる。上記シャフトが所望形状へと屈曲されたなら、該シャフトの剛性により上記形状は手術の間維持される。しかしこの態様は上記デバイスの効果的な手術範囲を制限する、と言うのも、挿入前にシャフトは上記所望形状へと屈曲されると共に屈曲されたシャフトは剛性を有することから、医師は除去されるべき器官部分の箇所をシャフト挿入前に確認すると共にそれに従いシャフトを変形する必要があるからである。更に、上記シャフトは剛性を有することから、特に屈曲および／または迂回経路により到達されるべき領域(例えば、S状結腸)などの、器官内の遠隔領域に到達することが困難となる。故に、切除されるべき器官部分にデバイスを位置決めするためには、該器官部分の近傍で切開を行うことが必要となる。
【発明の開示】
【０００６】
本発明は、可撓内視鏡と、ステープル綴じ機構(stapling mechanism)とを備え、上記内視鏡は上記ステープル綴じ機構の少なくとも一部を貫通して摺動的に受容される、全厚切除システムに関する。上記ステープル綴じ機構は、アンビルと、組織受容位置とステープル綴じ位置との間で上記アンビルおよび当該ステープル綴じヘッドが相互に関して移動可能となる如く上記アンビルに取り付けられたステープル綴じヘッドとを含み、該ステープル綴じヘッドと上記アンビルとの間に形成される間隙は上記ステープル綴じ位置におけるよりも上記組織受容位置における方が大きい。上記組織受容位置およびステープル綴じ位置の間において上記アンビルおよびステープル綴じヘッドを移動すべく位置調節機構が配備されると共に、ステープル撃発機構は複数のステープルを上記ステープル綴じヘッドから上記間隙を通り上記アンビルに対して且つ上記間隙内に受容された任意の組織を貫通して順次に撃発し、且つ、ブレードもしくはナイフは上記間隙内に受容された組織の一部を切断する。身体の外側に留まる制御ユニットは、上記位置調節機構および上記ステープル撃発機構の作用を制御すべく上記ステープル綴じ機構に連結される。
【発明を実施するための最良の形態】
【０００７】
図１および図２に示された如く、本発明の第１実施例に係る装置は、好適には外装(sheath)4の末端4aに接続され得る作動ヘッド・アセンブリ2を備えている。外装4の基端4bは好適には、制御ハンドル6に接続され得る。
【０００８】
作用時には、図２に示された如く制御ハンドル6、外装4および作動ヘッド・アセンブリ2を貫通して内視鏡8を通過させることにより、上記装置全体が内視鏡8上に取付けられる。次に内視鏡8は身体孔(body orifice)内に挿入され、(通常は管状器官に通気し乍ら)視覚的観察により管状器官内の病巣を発見する。病巣が発見されたなら、作動ヘッド・アセンブリ2が該病巣の近傍の所望位置とされるまで作動ヘッド・アセンブリ2および外装4は内視鏡8に沿って管状器官内に摺動的に前進される。当業者であれば、代替実施例において作動ヘッド・アセンブリ2も内視鏡8の末端に対して着脱可能に連結され得ると共に、上記機構全体が視覚的観察の下で身体孔内に挿入され得ることを理解し得よう。
【０００９】
図１に示された如く作動ヘッド・アセンブリ2は、基端側ハウジング12の末端12aに連結されたアンビル部材(anvil member)10を備えている。アンビル部材10は、基端面14およびそれより小さな末端面16を備えたほぼ三日月形の断面(crescent shaped cross-section)を有している(すなわち、アンビル部材10の外側縁部18が第1円の一部を概ね形成すると共に第2の小寸の円形切欠13が該第1円内に形成される)。アンビル部材10の切欠13は、作動ヘッド・アセンブリ2全体に内視鏡8が貫通摺動されることを可能にし、該内視鏡8が身体通路内に前進されて、作動ヘッド・アセンブリ2が後で身体内に前進されて病巣に至るのを許容すべく含まれるものである。切欠13は更に、内視鏡8による前方視野を提供するものでもある。故に、内視鏡8を収容するに十分な大きさの任意形状の切欠13が選択され得るが、切欠が大きいほど視野は大きくなる。アンビル部材10の外側面18は作動ヘッド・アセンブリ2の中央軸心に対してほぼ平行に延在する一方、アンビル部材10の基端面および末端面14、18は上記中央軸心に対してほぼ直交する各平面内に延在する。外側面18は、テーパ部分5により末端面16に接合される。
【００１０】
図３に示された如くアンビル部材10の基端面14は、第1キャビティ37と、該第1キャビティ37を囲繞するリム41とを含む。アンビル部材10のリム41上には、複数のステープル成形溝(staple forming grooves)19が２つのオフセット列(two offset rows)で配置されると共に各溝19の各列の径方向内側では円形の案内スリット21が延在する。基端面14の残部からは上記リム41が突出することから、基端面14上には浅底キャビティが形成される。
【００１１】
アンビル部材10は、好適にはほぼ円柱状とされ得る２本の取付軸20a、20bにより基端側ハウジング12に連結される。取付軸20a、20bの各々は、三日月形のアンビル部材10により形成された２個の角状部22a、22bの対応する方の角状部上にて、アンビル部材10の基端面14に連結される。アンビル部材10は取付軸20a、20bに対して固定的に連結されて示されるが、当業者であれば、アンビル部材10は図３ａに示された如く内視鏡8による視野を大きくすべく取付軸20a、20bに枢動連結されても良いことは理解される。この枢動式態様においてアンビル部材10は第1配置構成においては傾斜されることから、アンビル部材10の残部よりも角状部22a、22bの方が上記基端側ハウジングの末端12aに近くなる。その場合、基端側ハウジング12の末端12aに向けてアンビル部材10が引張られると、アンビル部材10は先ず角状部22a、22bにて末端12aに対して押圧されることから、該アンビル部材10は該アンビル部材10の基端面14が末端12aと平行となるまで枢動せしめられる。
【００１２】
図１に示された如く取付軸20a、20bは取付孔26a、26b内に摺動的に受容されるが、該取付孔26a、26bは取付軸20a、20bのサイズおよび形状にほぼ対応するサイズおよび形状を有すると共に基端側ハウジング12を軸心方向に貫通して延在する。取付軸20a、20bは好適には、リム41と基端側ハウジング12の末端12aとの間に第1所定幅の組織把持間隙が形成されるという最基端側位置と、リム41と基端側ハウジング12の末端12aとの間に更に大きな第2所定幅の組織受容間隙が形成されるという最末端側位置と、の間において、取付孔26a、26b内で基端側へ及び末端側へと軸心方向に移動可能である。上記第2所定幅は好適には、アンビル部材10と基端側ハウジング12との間の切除位置へと管状器官の一部が引き入れられ得る如く、切除されつつある器官の壁厚の２倍より大きくすべきである。
【００１３】
図４に示された如く、取付軸20aおよび20bの少なくとも一方の基端は、基端側ハウジング12内に配備された駆動機構102に連結される。好適実施例において駆動機構102は、ヨーク103および駆動シャフト105から構成される。ヨーク103は好適には基端側ハウジング12の軸心に沿って長手方向移動すべく基端側ハウジング12内に摺動的に受容されることから、アンビル部材10が上記最基端側位置に在るときにヨーク103は対応する最基端側位置に在り、且つ、上記アンビル部材が上記最末端側位置に在るときにヨーク103は対応する最末端側位置に在る。
【００１４】
ヨーク103は好適には、ほぼ矩形の断面を有するほぼ半円形状とされ得る。図４においてヨーク103により形成された部分円(semicircle)はほぼ四分の一の円弧(quarter arc of a circle)を形成するが、ヨーク103は基端側ハウジング12の内部収容および取付軸20aおよび20bの位置に基づいて更に大きな半円形とされ得る。取付軸20aは好適にはヨーク103の第1端部103aにてヨーク103に連結され得ると共に、取付軸20bはヨーク103の第2端部103bにて連結され得る。駆動シャフト105の相補螺条付の末端105aの直径にほぼ対応する直径を有するシャフト孔107は、第1端部103aおよび第2端部103bの間のほぼ中間点にてヨーク103を貫通延伸する。故に、駆動シャフト105が回転されると、螺条付末端105aはシャフト孔107に係合してヨーク103を(駆動シャフト105の回転方向に依存して)基端側へもしくは末端側へと移動する。
【００１５】
駆動シャフト105の末端105aは好適には、少なくとも最基端ヨーク位置および最末端ヨーク位置の間の距離にほぼ対応する長さの第1部分105tに亙り螺条形成されるべきであるが、残部105rには螺条形成されなくても良い。駆動シャフト105は螺条付第1部分105tの直近の領域(部分105tの基端側および／または末端側)において大きな断面を有し得ることから、第1部分105tに対するヨーク103の移動を制限し得る。当業者であれば、駆動シャフト105は回転はされ得るが基端側ハウジング12に対して移動はし得ない様に、該駆動シャフト105が好適には基端側ハウジング12内に回転可能に取付けられることを理解し得よう。駆動シャフト105は好適には、外装4を貫通延伸して制御ハンドル6に至る駆動ケーブル100に連結された基端105bまで延在する。駆動ケーブル100は好適には、外装4の周縁内部に沿って軸心方向に延在する。当業者であれば、外装4は好適には該外装4内において回転する上記駆動ケーブルからのトルク力に抗すべく捩れ的に堅固であることを理解し得よう。但し外装4は長手方向には可撓であることから、外装4は内視鏡8に沿って摺動的に前進され得ると共に、内視鏡8の作動に対する干渉と周囲組織に対する損傷とを最小化する。外装4は好適には、複数の方向へと内視鏡8の末端を旋回させるような力の伝達及び該内視鏡のトルク付加可能な回転(torqueable ratation)を許容すべく可撓である、という公知の内視鏡用挿入管と同様に構成される。
【００１６】
図７乃至図１０は図１の作動ヘッド・アセンブリ2の破断図(cutaway view)であり、駆動シャフト105およびヨーク103の夫々の移動は上述の様式で制限されている。図８に示された如く、基端側ハウジング12の基端12bには西洋ナシ形の後部カバー・プレート460が好適には接続され得る。後部カバー・プレート460の下部には該プレート460を貫通して駆動シャフト105を受容すべく、駆動シャフト105の断面サイズとほぼ対応する断面サイズを有する第1シャフト孔462が配備される。故にこの配置構成においてヨーク103は長手方向移動のみに制限される、と言うのも、ヨーク103の末端側は取付孔26a、26b内に配設された取付軸20a、20bに連結されると共に、ヨーク103の基端側は第1シャフト孔462内に配設された駆動シャフト105に連結されるからである。
【００１７】
図９ａに示された如く、後部カバー・プレート460の各側にて駆動シャフト105に固定的に取付けられた２個のワッシャ型デバイス470により、駆動シャフト105の移動は該駆動シャフト105の軸心回りにおける回転移動のみに制限され得る。後部カバー・プレート460内における駆動シャフト105の部分に対して、後部カバー・プレート460の各側にて駆動シャフト105の断面サイズを大きくしても、同様の結果が達成され得る。代替的に、後部カバー・プレート460のほぼ中心に配置された駆動シャフト105の膨出部分476の断面が、該膨出部分476の直近における駆動シャフト105の部分よりも大寸とされても良い。その場合に第1シャフト孔462は、該第1シャフト孔462の残部よりも大きな断面の中央部分474を有することにより駆動シャフト105の膨出部分476を収容し得る。
【００１８】
図９ｂは駆動ケーブル100と駆動シャフト105との間の連結機構を示しているが、上記シャフトの基端105aは自身内を貫通延伸するD状孔105hを有し得る。駆動ケーブル100の末端102bは孔105hの形状に対応するD形状を有することから、上記駆動ケーブルの末端102bは駆動シャフト105の孔105h内に受容され得る。図９ｃは駆動ケーブル100を駆動シャフト105に連結するための代替的な連結機構を示しており、駆動シャフト105aの基端105a内の孔105h、および、駆動ケーブル100の末端102bは、対応する矩形状を有している。図９ｂにおけるD形状により提供される単一のエッジ部、および、図９ｃの矩形状により提供される四個のエッジ部は、駆動ケーブル100が最小の滑りで回転力を駆動シャフト105へと伝達することを可能にする。
【００１９】
作用時にユーザは、内視鏡8の回りに作動ヘッド・アセンブリ2が受容された状態で、切除されるべき組織の近傍の所望位置に作動ヘッド・アセンブリ2が至るまで、切除されるべき組織の部分へと内視鏡8を前進させる。次にユーザが制御ハンドル6に力を加えると駆動ケーブル100が回転し、該駆動ケーブル100は次いで駆動シャフト105を回転せしめることにより、ヨーク103およびアンビル部材10を基端側ハウジング12の末端12aから離間する方の末端側へと前進せしめる。図３に示された如く、アンビル部材10が最末端側位置に到達したときに、公知の把持デバイス108が外装4および作動ヘッド・アセンブリ2を通して前進され、把持器用孔32および33の一方を介してアンビル部材10および末端12aの間の間隙へと進入する。図３におけるデバイスは内視鏡8として十二指腸鏡を使用するものとして示されているが、当業者であれば、例えば胃鏡、結腸鏡などの他の形式の内視鏡も使用され得ることを理解し得よう。
【００２０】
図１に示された如く、少なくとも基端側ハウジング12の末端12aは好適には、アンビル部材10の切欠13のサイズおよび形状にほぼ対応する切欠29を含んでいる、アンビル部材10の基端面14のサイズおよび形状に対応した断面を有している。切欠29は、自身内に内視鏡8を受容すると共に基端側ハウジング12が内視鏡8に沿って摺動的に前進されるのを許容すべく配備される。もちろん当業者であれば、作動ヘッド・アセンブリ2の外側面の形状は種々の所望切除形状に対処すべく選択され得ると共に、アンビル部材10の形状は好適には基端側ハウジング12の近傍に位置されたときに連続的表面を形成すべく選択されることができ、上記作動ヘッド・アセンブリの身体通路内への前進および身体通路からの退去が促進されることを理解し得よう。上記作動ヘッド・アセンブリは、任意の箇所にて15mm〜40mmの最大直径を有するのが好適である。
【００２１】
基端側ハウジング12の末端12aのほぼ中心には組織受容キャビティ30が形成されることにより、管状器官の一部はアンビル部材10と末端12aとの間の間隙内へ容易に引き込まれる。当業者であれば、キャビティ30内へ引き入れられる組織の量と基端側ハウジング12のサイズとに依存してキャビティ30の深度が変化し得ることを理解し得よう。基端側ハウジング12の軸心方向に、好適には該長手軸心から僅かに中心を外して、２個の把持器用孔32および33が延在する。好適実施例において把持器用孔32および33の各々は好適には、制御ハンドル6から外装4を貫通して該把持器用孔32および33の夫々を通して前進される把持デバイス108を受容し得る。
【００２２】
作用時に、アンビル部材10と基端側ハウジング12の末端12aとの間へと且つキャビティ30内へと管状器官の一部を引張るべく、把持デバイス108のいずれかもしくは両方が使用され得る。内視鏡8の作動チャネルを貫通して第3の把持デバイス108も挿入されることにより、アンビル部材10と基端側ハウジング12との間に器官部分を位置決めする別の手段を提供し得る。勿論、当業者であれば、把持器用孔32、33及び内視鏡8の作動チャネルの任意のものを介して、アンビル部材10と末端12aとの間の間隙へと任意の所望器具が前進され得ることを理解し得よう。
【００２３】
複数のステープル・スリット34は好適には、基端側ハウジング12の末端12aの周縁部に沿って延在するほぼ円形の２つのオフセット列で配設される。各ステープル・スリット34は、取付軸26aの近傍の領域から、他方の取付軸26bの近傍の領域まで延在する。複数のステープル・スリット34は好適には、アンビル部材10がその最基端側位置に在るときにステープル・スリット34の各々が対応する各ステープル成形溝19と整列する如く配置され得る。
【００２４】
上記デバイスが作用するように配置構成されたとき、作動ヘッド・アセンブリ2内には複数のステープルが受容され、各ステープルは各ステープル・スリット34の対応するものと整列される。次に各ステープルは、基端側ハウジング12内に配設され(ると共に図５に示され)た起動機構104により夫々のステープル・スリット34から順次に撃発される。
【００２５】
上記アンビルが最基端側位置に在るときにブレード・スリット36が上記アンビル部材上の案内スリット21と整列されるように、各ステープル・スリット34の実質的に内径側にほぼ円形のブレード・スリット36が延在する。図１２に更に明瞭に示される如く、ブレード・スリット36の延長部84a、84bは、基端側ハウジング12の末端12aから末端側へと突出するブレード・ハウジング74aおよび74b内へと夫々延在する。ブレード・ハウジング74aおよび74bは好適には、アンビル部材10がその最基端側位置に在るときに該ブレード・ハウジング74aおよび74bがアンビル部材10のリム41の部分43a、43bと接触する如く載置される。ブレード・ハウジング74aおよび74bの基端側ハウジング１２からの延長量は好適には、ブレード・ハウジングデバイス74aおよび74bがリム41の残部43aおよび43bに係合(することによりアンビル部材10の基端側移動を停止すると共に該アンビル部材の最基端側位置を定義)したときに、器官の部分を破砕も損傷もせずにアンビル部材10が該器官の部分を基端側ハウジング12に対して堅固に保持し得るに十分な長さの間隙がアンビル部材10と末端12aとの間に形成される如く、選択される。
【００２６】
ブレード・スリット36の一端に(すなわち延長部84aおよび84bの一方内に)位置されたとき、切断用ブレード(cutting blade)202は好適にはブレード・ハウジングデバイス74aおよび74bの一方および案内スリット21の内部に完全に囲繞されることから、医師がブレード202を意図的に操作するまで切断用ブレード202は一切の組織を切断しない。医師がブレード202を操作したとき、ブレード202は、ブレード・スリット36の回りの延長部84aおよび84bの一方内に受容された初期位置から、そのカッティングエッジを移動の方向に向けて該ブレード202が延長部84aおよび84bの他方に受容されるまで、駆動される。故に、切断操作が実施された後においても、ブレード202が患者を偶発的に傷付けるのが防止される。
【００２７】
図６は楔部材402を示すが、その第1部分402aは起動シャフト400に対して回転不能に連結されることから、起動シャフト400が回転すると楔部材402は好適には作動ヘッド・アセンブリ2の長手軸心の回りで回転する。楔部材402はブレード・ハンドル408を含むが、該ブレード・ハンドル408は、楔部材402に連結された第1部分408aからブレード202に連結された第2部分408bまで延在することから、楔部材402が回転されたときにブレード202はブレード・スリット36を通して回転される。楔部材402は軸心方向に見たときにほぼ鐘状の断面を有すると共に、第2部分402bは、第1部分402aから、故に、作動ヘッド・アセンブリ2の長手軸心と好適には一致するシャフト400の長手軸心から、径方向外側に延在する。第2部分402bの径方向外側部分からは可変深度のノッチが切欠かれて第2部分402b上にカム表面412を形成する。楔部材402の先端面402dからは第1湾曲部分412aが上方へと湾曲して第2湾曲部分412bに結合するが、該第2湾曲部分412bは下方へと湾曲して楔部材402の後面402eに結合する。楔部材402は好適には、カム表面412がほぼ各ステープル・スリット34と整列される如く基端側ハウジング12内に配置される。
【００２８】
ステープル・ドライバ472は、各ステープル・スリット34から、楔部材402が回転する平面へとほぼ長手方向に基端側へと延在すると共に、各ステープル・ドライバ472は、ステープルを駆動する最末端側位置と非作用の最基端側位置との間で移動すべく作動ヘッド・アセンブリ2内に摺動的に受容される。非作用位置において、各ステープル・ドライバ472の上端部は、夫々のステープルのまさに基端側の基端側ハウジング12内に完全に受容される。各ステープル・ドライバ472は好適にはほぼ矩形であるが、それらの底端部472aは更に好適には円形とされ得る。各ステープル・ドライバ472の長さは好適には、非作用位置において各底面472aが、第1湾曲部分412aの最基端側範囲と最末端側範囲との間で上記楔部材の回転平面内に延在する如く、選択される。各底面472aは非作用位置において更に好適には、先端面402dにおけるカム表面412の最末端側射影(distal most projection)とほぼ整列される。故に作用時に楔部材402は起動シャフト400により回転されることから、カム表面412の第1湾曲部分412aは各ステープル・ドライバ472を連続的に駆動して対応ステープルと接触せしめ、故に、各ステープル・ドライバ472およびそのステープルは各ステープル・スリット34の対応するものを貫通して末端側へと駆動される。これにより各ステープルは、末端12aから上記間隙を通り、アンビル部材10と基端側ハウジング12との間に保持された任意の組織を貫通してアンビル部材10内へと、且つ、対応する各ステープル成形溝19内へと駆動される。故にアンビル部材10と基端側ハウジング12との間に把持された組織の一部は、各ステープル・スリット34により形成された(すなわちほぼ円形の)パターンとほぼ同一のパターンでステープル綴じされる。これと同時に、ブレード202はブレード・スリット36を通り回転されることにより、楔部材402の回転によりステープル綴じされた直後の組織を切断する。
複数のステープルの各々が撃発された後、楔部材402は逆方向に駆動されることにより新たな複数のステープルを再装填し得る。楔部材402は各ステープル・ドライバ472のいずれによっても捕捉されることなくステープル撃発方向とは逆の方向に回転され得る、と言うのも、各ステープル・ドライバはカム表面412の第2湾曲部分412bにより経路から押し出されるからである。
【００２９】
作用時に、ユーザは制御ハンドル6に対して力を加えることにより起動ケーブル450をその長手軸心回りで回転する。この回転力は起動シャフト400へと伝達され、起動シャフト400は次に起動ケーブル450の長手軸心の回りで楔部材402を回転する。次に楔部材402のカム表面412の第1湾曲部分412aは上述の如く各ステープル・ドライバ472を個別に末端側へと駆動することによりアンビル部材10と基端側ハウジング12との間に受容された組織をステープル綴じするが、切断用ブレード202はステープル綴じの撃発の後に遅延する、と言うのも、ブレード・ハンドル408は上記楔部材の後面402eに連結されるからである。
【００３０】
図１０ａは図６の楔部材402の代替的形状であり、別体のブレード部分420を含んでいる。ブレード部分420は好適には起動シャフト400の末端400aに回転可能に連結されることから、起動シャフト400を該起動シャフト400の長手軸心の回りで回転してもブレード部分420の対応回転は引き起こされない。図６におけるのと同様に、該装置の楔部材202はシャフト400の末端400aに対して回転不能に連結される。
【００３１】
ブレード部分420の周縁部420eに連結された該装置のブレード・ハンドル408は、ブレード202の切断部分まで延在する。上述の如くブレード202の切断部分は、該ブレード202が延長部84aおよび84bの一方内に受容されたとき以外は、末端12aを越えて延在する。
【００３２】
楔部材402は、ブレード・ハンドル408が該楔部材402に連結されないことを除き、図６の楔部材402と形状およびサイズにおいてほぼ対応する。これに加え、図１０ａに示された如く配置された末端面402t内には固定用シャフト402hが延在することから、ブレード部分420および楔部分410が整列されたとき、固定用シャフト402hと、ブレード部分420の底面420b上の(図１０ｃに示された)固定用凹所414とはほぼ整列される。図１０ｂに示された如く、固定用シャフト402h内にはスプリング416が受容され、該スプリングの基端は固定用シャフト402hの基端に連結される。スプリング416の末端416bに連結された固定用ボール418は、該固定用ボール418に対して基端側方向の力が加えられたときに該固定用ボール418が固定用シャフト402h内に摺動的に受容され得る如きサイズとされる。これに加え、固定用ボール418に対して末端側方向の力が加えられないときにスプリング416は好適には、固定用ボール418の約半分(もしくはそれ以上)が固定用シャフト402hから末端側へと延在する如く延在する。故に、楔部材402がブレード部分420に向けて回転されるとき、固定用ボール418は、ブレード部分420の基端側面420b上に形成された切欠425内に受容される。図１０ｃに示された如く切欠425は下方に傾斜して固定用凹所424に結合することから、固定用ボール418が受容されるときに切欠425の傾斜は固定用ボール418を固定用シャフト420h内に漸進的に押し込む。次いで、楔部材402が移動されてブレード部分420と整列されたとき、固定用ボール418は固定用シャフト402hから外方へ延在すると共に固定用凹所414に進入して楔部材402をブレード部分420へと連結することから、楔部材402を回転するとブレード部分420が対応回転される。
【００３３】
ブレード部分420の周縁部420eと起動シャフト400との間の径方向長さBlは、楔部分410の壁部402fと上記起動シャフトとの間の径方向長さWlにほぼ対応し得る。これにより、ブレード・ハンドル408は楔部分410のカム表面402cに対して上記各実施例とほぼ同様な位置に載置される。勿論、当業者であれば、ブレード部分420が回転するとブレード202がブレード・スリット36を通って対応回転する如く、ブレード408が末端側にほぼブレード・スリット36へ向かって延在すべきことが重要なことを理解し得よう。
【００３４】
作用時に、楔部材402は最初は例えばブレード・ハウジング74aなどの各ブレード・ハウジングの一方の基端側に載置される一方、ブレード部分420はブレード・ハウジング74bの基端側に載置され、ブレード202はブレード・ハウジング74b内に受容される。末端12aとアンビル部材10との間の位置へと病巣組織が引き込まれたとき、医師は制御ハンドル6に力を加えることによりシャフト400を起動する。これにより楔部材402は回転され、対応ステープル・スリット34を介して末端側へと各ステープル・ドライバ472を順次に駆動する。楔部材402がブレード部分420との完全な整列まで回転されると共に固定用ボール418が固定用凹所414内に受容されたとき、操作者は制御ハンドル6を逆方向へと操作することによってブレード・ハウジング74bから外方へとブレード202を引張り、上記ステープルの各列から径方向内側に延在する全ての組織を切断する。ブレード202が他方のブレード・ハウジング74a内に受容されたとき、身体通路の壁部は解放されると共に、病巣組織は把持デバイス108により保持されて末端12aとアンビル部材10との間の間隙内に残存する。病巣組織は次に、身体から引き出されて分析される。楔部材402のこの実施例によれば、例えば各ステープル・スリット34のひとつにおける詰まりによりステープル綴じプロセスが尚早に中止されるべき場合における安全装置が提供される。該実施例を使用すると、全てのステープルが撃発されるまで切断プロセスは開始されない。故に、各ステープルにより完全に閉じられていない器官の開口を切断するリスクが減少され得る。
【００３５】
図５に示された如く起動機構104は、制御ハンドル6に連結された基端450aから、起動シャフト400の基端400aに連結された末端450bまで延在する起動ケーブル450を含む。当業者であれば、ヨーク103がその最末端側位置に在るときでさえも該ヨーク103が(以下で論じられる)起動シャフト400の長手軸心回りにおける楔部材402の回転と干渉しない様に、楔部材402は好適には基端側ハウジング12の末端12aの方に載置されるべきであることを理解し得よう。
【００３６】
図７乃至図９ａに示された如く、後部カバー・プレート460は好適には基端側ハウジング12の基端12bに連結され得る。基端側ハウジング12の基端12bは次に外装4に接続される。起動シャフト400は好適には、基端側ハウジング12の後部カバー・プレート460に形成された第2シャフト孔464を貫通延伸し得ると共に、好適には基端側ハウジング12上に配備されたキャビティ30の内側部分に当接する。後部カバー・プレート460の一部上には作動ヘッド・アセンブリ2の長手軸心から径方向に離間して内視鏡用孔466が好適には配備されて、内視鏡8を基端側ハウジング12の切欠29内へと案内し得る。内視鏡8は好適には、外装4の周縁部に沿って好適には配設されて該外装4内に配備された内視鏡用内孔(endoscope lumen)40から内視鏡用孔466内へと受容され得る。
【００３７】
図９ｄは、外装4の破断斜視図であり、該外装4を通して種々のデバイス(すなわち、２個の把持デバイス108、駆動ケーブル100、起動ケーブル450および内視鏡8)が延在している。種々のデバイスの各々は複数の管510のひとつにより更に囲繞されるが、該管510は自身内における(ケーブル100、450に対する)回転移動または(２個の把持デバイス108および内視鏡8に対する)長手方向移動を許容するものである。外装4と同様にこれらの複数の管は、制御ハンドル6に連結された基端から作動ヘッド・アセンブリ2に連結された末端まで延在する。複数の管510は、例えば摩滅による損傷に対する保護を提供すると共に、外装4を通る隔離経路を提供し、種々のデバイス間の絡みを防止する。
【００３８】
図１８は、本発明の切除デバイスに関連して使用され得る制御ハンドル6の断面を示している。制御ハンドル6は好適には、起動機構104を操作する第1分岐部500と、駆動機構102を操作する第2分岐部502と、本体520とを備えたほぼ“Ｙ”形状とされ得る。受容孔512が、本体520内に内視鏡8を貫通受容すべく、本体520の中心を通って長手方向に延在する。第1動力伝達機構504は起動制御ノブ508に連結されると共に第1分岐部500、本体520を軸心方向に貫通延伸し、其処で該第1動力伝達機構504は、外装4を貫通延伸して起動機構104に接続される起動ケーブル450に連結される。第2動力伝達機構506は駆動制御ノブ510に連結されると共に第2分岐部502、本体520を軸心方向に貫通延伸し、其処で該第2動力伝達機構506は、外装4を貫通延伸して駆動機構102に至る駆動ケーブル100に連結される。当業者であれば、例えば異なる手のサイズ、快適性などに対処すべく任意の種々の形状で上記制御ハンドルが設計され得ることを理解し得よう。これに加え、ノブの代わりに例えば起動レバーなどの異なる動力伝達方法も使用され得る。
【００３９】
作用時にユーザは制御ノブ508および510の一方に対して回転力を加え、この回転力が夫々の動力伝達機構504および506を介して伝達されると動力伝達機構504および506は回転力を駆動ケーブル100および起動ケーブル450の夫々に伝達することにより、上述の如く起動機構104もしくは駆動機構102が作動せしめられる。
【００４０】
図１１は本発明の第２実施例に係るデバイスを示しており、同様の参照番号は同一の要素を特定している。
【００４１】
この実施例のアンビル部材10は好適にはほぼ円形もしくは楕円形(elliptical)の断面を有すると共に、基端面14からその末端16に向けて漸進的にテーパ付けされた弾丸状の構造を形成している。このテーパ形状により上記デバイスは更に容易に患者の身体内に挿入され得る、と言うのも、末端16は上記第１実施例におけるよりも小寸の断面サイズを有するからである。当業者であれば、本発明の範囲から逸脱すること無くアンビル部材10は弾丸状構造以外の他のテーパ形状を有し得ることを理解し得よう。
【００４２】
内視鏡8をその中に受容すべく上記第１実施例で示された切欠13を配備する代わりに、ほぼ円筒状の第1内視鏡用内孔13がアンビル部材10の中心を軸心方向に貫通延伸する。アンビル部材10の末端16は好適には、第1内視鏡用内孔13に近接する斜面縁部54を有することにより内視鏡8の前方視野を広げ得る。
【００４３】
基端側ハウジング12は好適には、アンビル部材10の基端面14の断面のサイズおよび形状に対応する断面(すなわち、ほぼ円形もしくは楕円形)を有し得る。該実施例においては、上記第１実施例におけるキャビティ30が省略されると共に、ほぼ円筒状の第2内視鏡用内孔52が基端側ハウジング12の中心を軸心方向に貫通延伸する。
【００４４】
但し上記実施例と同様に、２個の把持器用孔32、33が上記基端側ハウジングを軸心方向に貫通延伸する。２個の把持器用孔32および33は好適には取付孔26aおよび26bの間に配設され得る、と言うのも、第1内視鏡用内孔13は今や基端側ハウジング12の軸中心(axial center)を貫通延伸するからである。これに加えて該実施例における把持器用孔32、33は好適にはほぼ円形の断面を有し得る。但し当業者であれば、把持器用孔32および33の断面形状は例えば他の形式のデバイスを収容すべく選択され得ることを理解し得よう。
【００４５】
内視鏡8を受容すると共に内視鏡8を基端側ハウジング12内に案内すべく、基端側ハウジング12の基端12bには受容スリーブ55が配備される。受容スリーブ55は好適には、第1部分56および第2部分58を有し得る。第1部分56および第2部分58は好適には両者ともに、それらを貫通する連続的な中心孔59を形成する環状断面を有し得る。中心孔59は好適には受容孔52の直径に対応する直径を有することから、内視鏡8は中心孔59を介して基端側ハウジング12内の第2内視鏡用内孔52に連続的に受容され得る。第2部分58の断面により形成される環状リングが第1部分56の断面により形成される環状リングよりも大きな幅を有する如く、第2部分58は好適には第1部分56よりも厚い壁部を有している。
【００４６】
図１に示された外装4の周縁部に沿って配設された内視鏡用内孔40とは対照的に、該実施例における内視鏡用内孔40は好適には外装4の軸中心に沿って延在することから、外装4が作動ヘッド・アセンブリ2に連結されたとき、中心孔59、第2内視鏡用内孔52および第1内視鏡用内孔13を貫通してほぼ連続的な整列経路が形成される。そのときに起動シャフト400および105ならびに駆動ケーブル450および102は外装4内における内視鏡用内孔40に対して同心的に配置される。
【００４７】
図１２は、本発明の第３実施例に係るデバイスを示している。該実施例のアンビル部材10の基端面14は、図１のデバイスのアンビル部材10の三日月形の断面と類似した断面を有している。故にアンビル部材10は、基端面14からアンビル部材10を軸心方向に貫通して末端15に至ることにより内視鏡8をその中に受容する切欠13の各側に形成された２個の角状部22aおよび22bを有している。図１１のデバイスと同様にアンビル部材10の断面サイズは、基端面14における最大サイズから末端15における最小サイズまで全体サイズが減少すると共に、角状部22aおよび22bは基端面14から末端15にかけて減少する。側面から見ると、アンビル部材10は基端14から末端16にかけて漸進的にテーパ付けされている。
【００４８】
図１１のデバイスと同様に、図１２のデバイスのアンビル部材10のテーパ形状によればデバイスは患者の身体内へと容易に挿入され得る。上記第２実施例とは対照的に、アンビル部材が切欠13を完全には囲繞してはいないので切欠13は内視鏡8を介して更に広い視野を提供する。また、上記第１実施例と同様に、ほぼ円筒状の２個の取付軸20aおよび20bは角状部22aおよび22bにてアンビル部材10の基端面14に連結されると共に、取付孔26aおよび26b内に夫々受容される。
【００４９】
上記各実施例とは対照的に、該実施例の基端側ハウジング12は好適にはほぼ長円形(oval)の断面形状を有している。基端側ハウジング12のこの形状は、図１に示された基端側ハウジング12を切欠29の回りに延在させてほぼ円筒状の第2内視鏡用内孔52を生成することにより形成される。この長円形状によれば、第2内視鏡用内孔52は基端側ハウジング12の軸中心からオフセットされて第1内視鏡用内孔13と整列され得る。この様に第2内孔52をオフセットすることにより、キャビティ30はブレード・スリット36と近接して配備され得る。他の全ての重要な点において、該実施例における基端側ハウジング12は図１に示された基端側ハウジング12とほぼ同一である。
【００５０】
図１３は、本発明の第４実施例に係るデバイスを示している。該実施例は図１２に示された実施例と相当に類似している。但し、該実施例におけるアンビル部材10の基端面14は、基端側ハウジング12に対応するほぼ長円形状の断面(oval-shaped cross-section)を有している。アンビル部材10は末端16に向けてテーパ付けされることにより、長円形状の断面を有するほぼ弾丸状構造を形成する。図１２に示された切欠13は好適にはアンビル部材10内に囲繞されても良く、これにより第1内視鏡用内孔13の延長部を形成し得る。
【００５１】
アンビル部材10の基端面14からはほぼ半円形のシールド31が延在し、アンビル部材10と基端側ハウジング12との間に形成された間隙の半球部(hemispherical portion)をシールドする。シールド31に依れば、組織部分は主としてステープル成形溝19と各ステープル・スリット34との間の間隙内に引き込まれると共に該間隙の残部に溢れるのは最小とされ得る。
【００５２】
基端側ハウジング12の一部の回りには、その中にシールド31を摺動的に受容すべく凹溝35が好適には形成され得る。凹溝35は好適にはシールド31のサイズおよび形状とほぼ対応するサイズおよび形状を有し得ることから、アンビル部材10がその最基端側位置に在るとき、シールド31は凹溝35内に受容されることによりほぼ完全に連続的な基端側ハウジング12の外側面を形成する。
【００５３】
作用時にユーザは内視鏡8を介した吸引を利用することにより、アンビル部材10と基端側ハウジング12との間の間隙へと組織部分を引き込み得る。斯かる状況においてシールド31は、さもなければ取付軸20a、20bの軸心方向移動を阻害し得る、組織部分の一部もしくは無拘束の組織片が取付軸20aおよび20bの回りの領域内に引き込まれることを防止する。シールド31は更に、組織を主として各ステープル成形溝19と各ステープル・スリット34との間の間隙内に引き込むべく、吸引による引込力を方向付ける役割を果たすものでもある。
【００５４】
図１４ａおよび図１４ｂは本発明の第５実施例に係るデバイスを示しており、作動ヘッド・アセンブリ2は外装4なしで内視鏡8に連結されている。上述の如く、各制御ケーブル500(すなわち駆動ケーブル100および起動ケーブル450)の各末端500aは好適には作動ヘッド・アセンブリ2に連結され得る一方、各制御ケーブル500の各基端500bは上記各実施例と同様に制御ハンドル6に連結される。但し、各制御ケーブル500および内視鏡8を受容すべく可撓外装4を使用する代わりに、各制御ケーブル500は夫々の管510内に挿入される。各管510は、各制御ケーブル500が該管510内で回転し得る様な十分な断面を有するべきである。次に各管510はそれらの長さに沿った種々の所定箇所にて、複数の留め具502により内視鏡8に締着される。当業者であれば、各留め具が内視鏡8の操舵もしくは各制御ケーブル500の回転を阻害しない限りにおいて多くの異なる形式の留め具がこの目的のために単独でもしくは組合されて使用され得ることを理解し得よう。また当業者であれば、留め具としてはテープ(例えば、手術用、電気用など)、電気ケーブル、ゴムバンド、他のベルト状留め具などが使用され得ることを理解し得よう。
【００５５】
図１６乃至図１８はブレード・ハウジング74bの代替的な形状を示しているが、ブレード・ハウジング74aに対しては同様の代替実施例が実施され得ることは理解されよう。
【００５６】
ブレード・スリット36はブレード・ハウジング74bを通ってハウジング部分84b内へと連続するが、該ハウジング部分84bは、ブレード・ハウジング74b内へとブレード・スリット36が進入する前端から、ブレード・スリット36および該ハウジング部分84bが終端する後端まで延在する。シールド受容スリット480は、ハウジング部分84bの前端および後端の間においてハウジング部分84bに対してほぼ直交して、該ブレード・ハウジング74bを貫通延伸する。
【００５７】
アンビル部材10と基端側ハウジング12との間において器官部分がステープル綴じされると共に、ステープル綴じされた組織を貫通してブレード202が引張られた後、もし組織が完全に切断されずにブレード202に沿ってハウジング部分84b内へと延在したなら問題が生ずる。すなわち、切除された組織を吸引すると、所定箇所に残るべき組織の列断に繋がり得る。
【００５８】
図１７に示された如くシールド受容スリット480内には、該シールド受容スリット480の形状およびサイズとほぼ対応する形状およびサイズを有する可撓分離シールド(flexible breakaway shield)482が挿入される。ハウジング部分84bに進入した後で切断用ブレード202はシールド482に接触し、ブレード202を更に進めるとシールド482は該シールド482が半分に切断されるまで変形される。シールド482が半分に切断された時、各半体は弾性的に元に戻ることにより、上記ブレードの移動方向とは逆の方向へと組織を引き寄せ、切断用ブレード202が組織を完全に切断するのを可能にする。
【００５９】
図１８は第2の代替的構成を示し、ここでは第1ゲート半体484aおよび第2ゲート半体484bを有する可撓ゲート484がシールド受容スリット480内に着脱可能にまたは固定的に取付けられ得る。半体484aおよび484bの各々は好適にはシールド受容スリット480の夫々の半体内に取付けられることができ、それらの間に形成された小寸間隙の幅が、切断用ブレード202の幅にほぼ対応するようにする。シールド482を切断して各使用後に交換しなくとも、ブレード202の移動方向と逆方向における拭い取り作用(wiping action)はシールド482のそれとほぼ同一である。
【００６０】
図１９ａおよび図１９ｂは、第3の代替的構成を示しているが、ここでは切除される組織の切断は一対の組織遮断体600および602により促進される。以下の説明は第1組織遮断体600に焦点を当てているが、当業者であれば、第2組織遮断体602上にも同様の構成が配備され得ることを理解し得よう。
【００６１】
図１９ａに示された如く第1組織遮断体600は、案内スリット21の第1端部21aに載置された第1矩形バー610および第2矩形バー612から構成される。第1矩形バー610は第1基部610aを有し、第2矩形バー612は第2基部612aを有するが、これらは両者ともに、アンビル部材10の基端面14に固定的に連結されると共に、案内スリット21の幅に対応する間隙を基部610a、612a間に形成して案内スリット21の両側に基部610a、612aが跨る如く、配置される。
【００６２】
第1矩形バー610の第1基部610aには第1スロット614aが配備されると共に第2矩形バー612の第2基部612aには第2スロット614bが配備され、矩形バー610、612がアンビル部材10に連結されたとき、(図１７に示された)可撓分離シールド482はスロット614a、614b内に配設され得るようにする。図１９ｃに示された如く、基端側ハウジング12の末端12a上のブレード・スリット30の両端には、一対のL状孔620、622が配備される。L状孔620、622は基端側ハウジング12内で長手方向に延在することにより、アンビル部材10が基端側ハウジング12に連結されたときに矩形バー610、612を当該L状孔620、622内に受容する。
【００６３】
この構成は図１７に示された構成と同様に機能することから、ブレード202の移動と逆方向におけるシールド482の拭い取り作用によりブレード202は切除される組織を完全に切断し得る。シールド482は上記デバイスの第1操作において最初は単一片であるが、シールド482は交換なしでも最小限のその有効性の低下で、更なる操作で再使用され得る。
【００６４】
図２０は本発明の第６実施例に係るデバイスを示しており、同様の参照番号は同一の要素を特定している。外装4は上記各実施例におけるよりも相当に堅固であると共に短寸である。これにより該デバイスの有効作用範囲は減少するが、外装4の剛性によりその全体的な構造強度は大きくなり、上記各実施例におけるよりも大きな力が外装4を通じて作動ヘッド・アセンブリ2に伝達され得る。その場合に種々の機構102、104を駆動するケーブル100、450は、大きな力に対処すべく更に強くかつ堅固とする必要がある。この変更の結果として作動ヘッド・アセンブリ2の全体サイズは、例えば、上記各実施例に係るデバイスでは単一の処置で処理し得ない大きな病巣を処理すべく大寸化され得る。
【００６５】
図２１乃至図２５は本発明の第７実施例に係るデバイスを示しており、ここでは、作動ヘッド・アセンブリ2は、アンビル部材10、ステープル綴じ部材17および接続アダプタ25を備えている。図２１に示された様にアンビル部材10およびステープル綴じ部材17は好適には、これらの部材が相互に隣接して位置されたときに該両部材が(図２３に示された如く)ほぼ環状のクランプ状デバイスを形成する如く、相互に対して相補的なほぼ半円形状を有している。アンビル部材10およびステープル綴じ部材17は、接続アダプタ25の末端25a上に配備されたほぼ円筒状のヒンジ・ピン60を介して枢着される。接続アダプタ25の基端25bは好適には、上記各実施例において基端側ハウジング12が外装4に接続されたのと同様の手法にて外装4に連結され得る。当業者であれば、本発明の範囲から逸脱すること無く特定の要件もしくは用途に対処すべくアンビル部材10およびステープル綴じ部材17の形状が改変され得ることを理解し得よう。
【００６６】
図２２に示された如く、アンビル部材10の第1端部10a上には複数の第1リング状延長部10bが形成される。各第1延長部10bは好適には相互から所定距離だけ離間され、ステープル綴じ部材17の第1端部17a上に形成された複数の対応第2リング状延長部17bを収容する複数のスペースを形成し得る。各第1延長部10bは形状およびサイズに関して各第2リング状延長部17bにほぼ対応するようにしても良いことから、第1アンビル端部10aおよび第1ステープル綴じ端部17aが係合されたときに第1および第2延長部10b、17bの交互的配置が形成され、第1および第2延長部10b、17bの各々の各孔がほぼ整列されてヒンジ・ピン60を受容する連続的孔を形成する。故に、ヒンジ・ピン60および第1および第2延長部10b、17bは、ヒンジ・ピン60の回りにおいてアンビル部材10およびステープル綴じ部材17が枢動するのを許容するヒンジを形成する。ヒンジ・ピン60の末端61に対しては好適には固定用リング62が取付けられ、ヒンジ・ピン60に関して第1および第2延長部10b、17bを繋止しても良い。
【００６７】
アンビル部材10の内側面10i上には、第1繋止接続部(first anchoring joint)23aが形成される。該第1繋止接続部23aは好適には、作動ヘッド・アセンブリ2の長手軸心に沿って見たときにほぼ三角形の断面を有し得る。但し第1繋止接続部23aのアンビル部材10に取付けられた側は好適には、アンビル部材10の内側面10iの凹形状と相補的な凸形状とされ得る。また、ステープル綴じ部材17の内側面17i上には、繋止接続部23aのサイズおよび形状と対応するサイズおよび形状を有するほぼ同様の第2繋止接続部23bが形成される。
【００６８】
図２３に示された如く、夫々の繋止接続部23a、23b上には第1および第2連結要素64a、64bが配設されて、繋止接続部23a、23bを２個のロッド・リンク150a、150bに夫々連結する。ロッド・リンク150a、150bは、繋止接続部23a、23bとプッシュ・ロッド152の末端154との間の堅固な連結を提供する。故に、プッシュ・ロッド152へ加えられる末端側もしくは基端側方向の長手方向力は繋止接続部23a、23bに伝達され、これによりアンビル部材10およびステープル綴じ部材17へと伝達される。
【００６９】
作用時に、末端側に向けられた押圧力がプッシュ・ロッド152に対して加えられたとき、この力はロッド・リンク150a、150bを介すると共に夫々の繋止接続部23a、23bを介してアンビル部材10およびステープル綴じ部材17に伝達され、アンビル部材10上のアンビル・ヘッド10cおよびステープル綴じ部材17上のステープル綴じヘッド17cが組織受容位置に到達するまで、該アンビル・ヘッド10cをステープル綴じヘッド17cから漸進的に離間する。同様に、基端側へ向けられた引張力がプッシュ・ロッド152に加えられたとき、アンビル・ヘッド10cおよびステープル綴じヘッド17cは、該アンビル・ヘッド10cおよびステープル綴じヘッド17cが狭幅間隙により離間されて相互に隣接するというステープル綴じ位置にそれらが到達するまで、相互に向けて引張られる。アンビル・ヘッド10cおよびステープル綴じヘッド17cがプッシュ・ロッド152により共に引張られるとき、ステープル綴じ部材17のステープル綴じヘッド17cから延在する安定用舌部308はアンビル・ヘッド10c上の安定用溝304内に漸進的に受容される。この舌部／溝構成により、アンビル部材10およびステープル綴じ部材17に対する案内および固定／安定化機構が提供される。
【００７０】
アンビル・ヘッド10cは、アンビル部材10の第1端部10aと逆側のアンビル部材10の第2端部10e上に配設される。アンビル・ヘッド10cは好適には、アンビル部材10の残部の断面サイズよりも大きなほぼ矩形の断面を有し得る。アンビル・ヘッド10cはアンビル面10dを有し、該アンビル面10d上には複数のステープル成形溝19が好適にはオフセットされて２本の略直線状に配置され得る。これに加え、ほぼ直線状の案内スリット21が好適には、ほぼアンビル面10dの中心に沿い且つほぼステープル成形溝19の各列に平行に延在する一方、安定用溝304は好適には安定用舌部308を受容すべくアンビル面10dの末端側に沿って形成される。安定用溝304は好適には安定用舌部308にほぼ対応する形状およびサイズを有し得ることから、アンビル部材10およびステープル綴じ部材17がステープル綴じ位置に在るときに安定用舌部308は安定用溝304内に緊密に受容される。
【００７１】
図２３ａに示された如くステープル綴じヘッド17cは、ステープル綴じ部材17の第1端部17aの逆側となるステープル綴じ部材17の第2端部17e上に形成されると共に、好適には少なくともステープル綴じ面17dの近傍の領域において、アンビル・ヘッド10cのサイズおよび形状と対応する断面を有している。アンビル・ヘッド10c上の各ステープル成形溝19の位置に対応する位置においてステープル綴じ面17d上には複数のステープル・スリット34が配置されることから、ステープル綴じ面17dおよびアンビル面10dが相互の近傍に位置せしめられたとき、複数のステープル・スリット34の各々は複数のステープル成形溝19の対応するものとほぼ整列される。更にアンビル・ヘッド10c上の案内スリット21に対応してほぼ直線状のブレード・スリット36がステープル綴じ面17dに亙り延在することから、ステープル綴じヘッド17cおよびアンビル・ヘッド10cが相互に近接して位置せしめられたときにブレード・スリット36は案内スリット21と概ね整列される。
【００７２】
図２３に示された如く、接続アダプタ25の末端25aは好適にはアンビル部材10およびステープル綴じ部材17により形成される環状クランプ形状の周縁面の形状およびサイズに対応する断面を有することから、アンビル部材10およびステープル綴じ部材17がステープル綴じ位置に在るときにアンビル部材10、ステープル綴じ部材17および接続アダプタ25によりほぼ平滑な連続外側面が形成される。接続アダプタ25は好適には自身の末端25aから基端25bにかけて漸進的にテーパ付けされ、且つ、次に基端25bは図２４に示された如く外装4に連結され得る。図２４に更に示された如く、ほぼ円筒状の内視鏡用内孔52は好適には接続アダプタ25の中心を軸心方向に貫通延伸し、該内視鏡用内孔52を通して通常の内視鏡8を受容する。接続アダプタ25はまたほぼ円筒状のロッド孔322も有するが、該ロッド孔322は、ヒンジ・ピン60の近傍の領域を貫通延伸して該接続アダプタ25の周縁部に沿って軸心方向に延在し、該ロッド孔322内にプッシュ・ロッド152を受容する。
【００７３】
図２５の破断図に示された如くステープル綴じヘッド17c内には、該ステープル綴じヘッド17c内において該ステープル綴じヘッド17cの末端352の近傍の領域から該ヘッドの基端354の近傍の領域まで延在する軌道(track)350が配備される。図２６はステープル綴じヘッド17cの破断図であり、ほぼL形状の断面を有する軌道350を示している。軌道350は好適には、該軌道350の第1脚部350aがステープル綴じ面17d上の複数のステープル・スリット34の概ね下方に延在すると共に該軌道350の第2脚部350bがステープル綴じ面17d上のブレード・スリット21の概ね下方に延在する如く、載置され得る。
【００７４】
図２５に示された第1配置構成において、軌道350の末端350a上には(上記各実施例で記述された楔部材402の代わりに)楔状滑動部材(wedge-sled)402が配備される。楔状滑動部材402は一つの角隅部において切欠を有し、それ上にカム表面412およびブレード・ハンドル408を形成する。これにより楔状滑動部材402には、軌道350の断面形状にほぼ対応するほぼL形状の断面が備えられる。楔状滑動部材402は、そのカム表面412が、軌道350の第1脚部350a内において複数のステープル・スリット34の方に向かって概ね配設される如く、軌道350内に配置される。更に楔状滑動部材402は、そのブレード・ハンドル408が第2脚部350b内においてブレード・スリット21の下方に概ね配設される如く、軌道350内に配置される。故に、切断用ブレード202がブレード・ハンドル408に連結されたとき、切断用ブレード202は上記各実施例と同様にブレード・スリット21から外方に延在する。図２６に示された如く安定用舌部308は、楔状滑動部材402が軌道350の末端350aに位置せしめられたときに切断用ブレード202をその中に受容する受容スリット309を有している。これにより、上記デバイスが器官内に挿入されて案内されるときに組織を偶発的に切断することが防止される。
【００７５】
図２５に示された如く、ステープル綴じヘッド17cを操作する起動ケーブル450は、楔状滑動部材402の先端縁402dに連結されると共に、軌道350を通り、(図９ｄに示された)複数の管510の内の(ステープル綴じヘッド17cの基端354に連結されると共に外装4を通り上記制御ハンドルまで延在する)一つの管332を通って延在し、且つ、次に(不図示の)制御ハンドル6に連結される。
【００７６】
作用時において、操作者が上記デバイスを身体内の所望箇所に操舵するときに楔状滑動部材402は最初は軌道350の末端350aに位置されると共にブレード202は安定用舌部308の受容スリット309内に受容される。上記デバイスが所望箇所へと操舵される間、アンビル部材10およびステープル綴じ部材17はステープル綴じ位置において相互に近接して配置される。所望位置に到達したときに操作者はプッシュ・ロッド152を末端側へと押し出し、アンビル部材10およびステープル綴じ部材17を組織受容位置へと分離する。次に操作者は切除されるべき組織の部分をステープル綴じ部材17およびアンビル部材10の間の間隙内へと引き込むと共に、プッシュ・ロッド152を基端側へと引張ることによりアンビル部材10およびステープル綴じ部材17をステープル綴じ位置へと戻し、切除されるべき組織を上記間隙内に把持する。次に操作者は起動ケーブル450を基端側へと引張ることにより、楔状滑動部材402を軌道350の基端350bに向けて引張る。上記楔状滑動部材上のカム表面412が複数のステープル・スリット34の各々の下方を通過するとき、該カム表面412は(各々がステープル・スリット34の対応する一つの中に配設された)複数のステープル・ドライバ472の各々を駆動して、複数のステープルを各ステープル・スリット34から順次に外方に駆動し、アンビル・ヘッド10cとステープル綴じヘッド17cとの間に把持された組織をステープル綴じする。これに加え、楔状滑動部材402のブレード・ハンドル408に連結された切断用ブレード202はブレード・スリット21を貫通して引張られることにより、今やステープル綴じされて器官から離間された組織を切除する。
【００７７】
組織が切除されたなら、操作者は起動ケーブル450を末端側へと押し出すことにより切断用ブレード202を安定用楔部材308の受容スリット309に向けて帰還させる。上記デバイスは次に、身体から引き出され得る。
【００７８】
図２３および図２５に示された如く、アンビル部材10およびステープル綴じ部材17は図２５に示された組織受容位置および図２３に示されたステープル綴じ位置を有している。故に、管332内に配設されると共にステープル綴じヘッド17c内に受容されている起動ケーブル450がステープル綴じ部材17と共に対応移動するのを許容する必要がある。故に、接続アダプタ25内にはチャネル330が配備されてその中に管332を受容する。チャネル330は好適には弧状経路にほぼ対応すべく接続アダプタ２５内に形成され得るが、ステープル綴じ部材17が組織受容位置とステープル綴じ位置との間で移動するときに管332はステープル綴じ部材17により該弧状経路に沿って引張られる。故に上記チャネルは、管332の屈曲および折れ曲がり(crimping)を最小化する。
【００７９】
当業者であれば、基端側ハウジング12は任意の実施例において好適には金属タイプの材料(metallic-type material)から構成され得るが、基端側ハウジング12は又、透明なプラスチックタイプ材料で構成され、内視鏡8を基端側ハウジング12内の第2内視鏡用内孔52内に部分的に引き込むことにより視覚的観察の下で作動ヘッド・アセンブリ2をユーザが操作するのを可能にしても良いことは理解され得る。その場合にユーザは内視鏡用内孔52の壁部を通して基端側ハウジング12内を見ることにより、例えば複数のステープル・ドライバ472の各々が起動されたか否かを観察し得る。これに加えてユーザはまた、図１０ａおよび図１０ｂに示された楔部材402が上述の如くブレード部分420内に固定されたか否かも観察し得る。あるいは、基端側ハウジング12の選択された部分が透明なプラスチックタイプ材料で構成され、基端側ハウジング12を通して視認する為の“窓”を提供しても良い。
【００８０】
当業者であれば、上記各実施例は上記制御ハンドルと上記作動ヘッド・アセンブリとの間における機械的な力の伝達を示しているが、このデバイスは代替的に、操作者から入力を受け且つ作動ヘッド・アセンブリ内の一連のモータに接続された電子制御器を含み得ることも理解し得よう。当業者であれば更に、上記ステープル綴じ機構と位置調節機構の互いに対する相対位置決めを逆にし、位置調節機構に関してステープル綴じ機構を最末端側位置に載置し得ることを理解し得よう。上記の各実施例は例示の為にのみ示されたものであり、これらの実施例の自明な種々の改変は、本明細書に添付された特許請求の範囲によってのみ定義される本発明の教示の範囲内と見做される。
【図面の簡単な説明】
【００８１】
【図１】図１は、本発明の第１実施例に係るデバイスを示す図である。
【図２】図２は、通常の内視鏡上に取付けられた図１のデバイスを示す図である。
【図３】図３は、当該デバイスから把持機構が延在された図１のデバイスを示す図である。
【図３ａ】図３ａは、アンビル部材が取付軸に枢動連結された図１のデバイスを示す図である。
【図４】図４は、図１のデバイスの駆動機構を示す該デバイスの破断図(cutaway)である。
【図５】図５は、起動機構を示す図１のデバイスの破断図である。
【図６】図６は、図の起動機構で使用される楔部材の詳細図である。
【図７】図７は、図１のデバイスの作動ヘッド・アセンブリの破断図である。
【図８】図８は、図７の作動ヘッド・アセンブリの後部カバー・プレートを示す図である。
【図９ａ】図９ａは、図１のデバイスの駆動シャフトの運動を制限する機構を示す図である。
【図９ｂ】図９ｂは、図１のデバイスにおける駆動ケーブル及び駆動シャフトに対する第1の連結機構を示す図である。
【図９ｃ】図９ｃは、図１のデバイスにおける上記駆動ケーブル及び駆動シャフトに対する第2の連結機構を示す図である。
【図９ｄ】図９ｄは、図１のデバイスの外装の破断斜視図である。
【図１０ａ】図１０ａは、図６の楔部材の代替的構造の斜視図である。
【図１０ｂ】図１０ｂは、図１０ａの上記楔部材の破断図である。
【図１０ｃ】図１０ｃは、図１０ａの上記楔部材に対応するブレード部分を示す図である。
【図１１】図１１は、本発明の第２実施例に係るデバイスを示す図である。
【図１２】図１２は、本発明の第３実施例に係るデバイスを示す図である。
【図１３】図１３は、本発明の第４実施例に係るデバイスを示す図である。
【図１４ａ】図１４ａは、本発明の第５実施例に係るデバイスを示す図である。
【図１４ｂ】図１４ｂは、図１４ａのデバイス及び通常の内視鏡の詳細な破断図である。
【図１５】図１５は、本発明に係る上記デバイスと共に使用される制御ハンドルを示す図である。
【図１６】図１６は、本発明に係るデバイスと共に使用されるブレード・ハウジング構成を示す図である。
【図１７】図１７は、本発明に係るデバイスと共に使用されるブレード・シールドの第1態様を示す図である。
【図１８】図１８は、本発明に係るデバイスと共に使用されるブレード・シールドの第2態様を示す図である。
【図１９ａ】図１９ａは、本発明に係るデバイスと共に使用されるブレード・シールドの第3態様を示す図である。
【図１９ｂ】図１９ｂは、図１９ａのブレード・シールドの組織遮断体を示す図である。
【図１９ｃ】図１９ｃは、図１９ａのデバイスの基端側ハウジングの末端を示す図である。
【図２０】図２０は、本発明の第６実施例に係るデバイスを示す図である。
【図２１】図２１は、本発明の第７実施例に係るデバイスを示す図である。
【図２２】図２２は、図２１のデバイスの第1斜視図である。
【図２３】図２３は、図２１のデバイスの第2斜視図である。
【図２３ａ】図２３ａは、図２１のデバイスの第3斜視図である。
【図２４】図２４は、図２１のデバイスの破断側面図である。
【図２５】図２５は、図２１のデバイスの第4斜視図である。
【図２６】図２６は、図１のデバイスの典型的なステープル綴じ部材の破断図である。
【符号の説明】
【００８２】
２    作動ヘッド・アセンブリ
６    制御ハンドル
８    内視鏡
１０    アンビル部材
【図１】
2005319331.tif 000003
【図２】
2005319331.tif 000004
【図３】
2005319331.tif 000005
【図３ａ】
2005319331.tif 000006
【図４】
2005319331.tif 000007
【図５】
2005319331.tif 000008
【図６】
2005319331.tif 000009
【図７】
2005319331.tif 000010
【図８】
2005319331.tif 000011
【図９ａ】
2005319331.tif 000012
【図９ｂ】
2005319331.tif 000013
【図９ｃ】
2005319331.tif 000014
【図９ｄ】
2005319331.tif 000015
【図１０ａ】
2005319331.tif 000016
【図１０ｂ】
2005319331.tif 000017
【図１０ｃ】
2005319331.tif 000018
【図１１】
2005319331.tif 000019
【図１２】
2005319331.tif 000020
【図１３】
2005319331.tif 000021
【図１４ａ】
2005319331.tif 000022
【図１４ｂ】
2005319331.tif 000023
【図１５】
2005319331.tif 000024
【図１６】
2005319331.tif 000025
【図１７】
2005319331.tif 000026
【図１８】
2005319331.tif 000027
【図１９ａ】
2005319331.tif 000028
【図１９ｂ】
2005319331.tif 000029
【図１９ｃ】
2005319331.tif 000030
【図２０】
2005319331.tif 000031
【図２１】
2005319331.tif 000032
【図２２】
2005319331.tif 000033
【図２３】
2005319331.tif 000034
【図２３ａ】
2005319331.tif 000035
【図２４】
2005319331.tif 000036
【図２５】
2005319331.tif 000037
【図２６】
2005319331.tif 000038
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
器官の全厚部分を除去する装置であって、
可撓内視鏡と、
該内視鏡を摺動可能に自身を通して受容する作動ヘッド・アセンブリであって、該作動ヘッド・アセンブリは、組織受容位置とステープル綴じ位置との間で上記作動ヘッド・アセンブリの長手軸心に対してほぼ平行な軸心のまわりで回転するように互いに連結されたステープル綴じ部とアンビルとを含み、該ステープル綴じ部は総てがほぼ真っ直ぐな線に沿って延在する複数のステープル・スリットを含むという作動ヘッド・アセンブリと、
を備える装置。
【請求項２】
上記のほぼ真っ直ぐな線は上記作動ヘッド・アセンブリの長手軸心に対しほぼ平行である、請求項１に記載の装置。
【請求項３】
上記作動ヘッド・アセンブリは、上記ステープル綴じ部及び上記アンビルへ連結される接続アダプタを含み、上記ステープル綴じ部と上記アンビルが上記組織受容位置とステープル綴じ位置との間で互いに対して回転するときに、上記アンビルと上記ステープル綴じ部の両方が上記接続アダプタに対して回転するようになっている、請求項１に記載の装置。
【請求項４】
上記作動ヘッド・アセンブリが身体内の作用位置にあるときに、身体の外部に留まる制御ユニットを更に具備する、請求項１に記載の装置。
【請求項５】
駆動機構へ連結されるブレードを更に具備し、該駆動機構は、当該装置によってステープル綴じされる組織の部分に近接する組織の部分を切断すべく上記のほぼ真っ直ぐな線に対しほぼ平行な経路に沿って上記ブレードを移動する、請求項１に記載の装置。
【請求項６】
上記接続アダプタの末端は、上記ステープル綴じ位置にあるときにおける上記アンビルと上記ステープル綴じ部の形状にほぼ合致する形状を有している、請求項１に記載の装置。
【請求項７】
上記ブレードからの組織の離間移動に対して抵抗を与える可撓ブレード・シールドを更に具備する、請求項１に記載の装置。
【請求項８】
初期位置から最終位置へと移動されるときに上記ブレードは上記可撓ブレード・シールドを切断する、請求項７に記載の装置。
【請求項９】
上記可撓ブレード・シールドは二つの部分で形成され上記ブレードは上記二つの部分の間を通過する、請求項７に記載の装置。
【請求項１０】
上記駆動機構は上記ステープル綴じ部と上記アンビルとのうちの少なくとも一つに連結される長手方向に弾性的なプッシュ・ロッドを含む、請求項５に記載の装置。
【請求項１１】
上記ステープル綴じ部は、該ステープル綴じ部内に摺動可能に受容されるステープル打込み部材を含み、上記ブレードは上記ステープル打込み部材に連結される、請求項１０に記載の装置。
【請求項１２】
上記駆動機構は、上記ステープル打込み部材に連結されるワイヤを更に含む、請求項１１に記載の装置。